(57)【要約】【課題】切花に水を補給でき、しかも、横にした状態で簡便に切花を収納、検査、取出しのできる切花輸送ケースを提供する。【解決手段】切花を輸送するケースは、段ボール紙で組み立てられた横長で高さの低い偏平なものが一般に使用され、切花を横にして収納している。このため、切花に水が補給されず、輸送中に花が萎えて品質が劣化することがある。本考案の切花輸送ケース１は、前板６を開閉可能とし、ほぼ軟質樹脂製袋３５の口部が位置する高さに背板２から内側へ突出する保持台１０を配設している。そして、輸送は、水を入れた軟質樹脂製袋３５に茎部を挿入してその口を粘着テープで固定した切花を収納して立てた状態とし、切花を収納、検査、取出す時は、横にして行えるようにした。【選択図】　図１
0003097762.tif 000002
【実用新案登録請求の範囲】
【請求項１】
水を入れた軟質樹脂製袋に切花の茎部を挿入してその口部を封着し、切花を立てた状態で収納して輸送する段ボール紙で組み立てられた切花輸送ケースにおいて、切花輸送ケースを横にしたときに該軟質樹脂製袋の口部を一定高さに保持するため、該口部が位置するあたりに背板から内側へ突出する保持台を配設したことを特徴とする切花輸送ケース。
【請求項２】
該保持台は、予め折線や切込が付された折込板を組み立てて形成するものとし、該折込板は底板に連接したことを特徴とする請求項１記載の切花輸送ケース。
【請求項３】
該折込板は背板面の左右にそれぞれ三角形状に突出するものとし、保持台の予備用の折込板を上板に連接したことを特徴とする請求項２記載の切花輸送ケース。
【考案の詳細な説明】
【０００１】
【考案の属する技術分野】
本考案は切花を立てた状態で輸送する切花輸送ケースに関するものである。
【０００２】
【従来の技術】
従来、切花輸送ケースは、段ボールで組み立てられた横長で高さの低い偏平な直方体で、切花を横に収納して輸送するものが一般に使用されている。このため、収納された後は切花に水が補給されず、市場に着いたときには花が萎えて品質が劣化した状態になることがあった。
【０００３】
そこで、水を収納した容器などに切花の茎部を挿入して切花を立てた状態で収納して輸送するものが開発されている（例えば、特許文献１。）。
この切花輸送ケースは、図６に示すように、段ボールで組み立てられた縦長の直方体で前板３１と上板３４を開閉可能とし、底部に中枠３３を設けている。
【０００４】
そして、紙、ポリエチレン、アルミ箔、ポリエチレンなどで積層した硬質な水入り袋３２を中枠３３に嵌め込んで保持するように構成している。
【０００５】
【特許文献１】特開平８−２７６９７３号公報。
【０００６】
【考案が解決しようとする課題】
上記特許文献１の切花輸送ケース３０は、水の入った袋３２内に切花の茎部を挿入して輸送するので、切花に水が補給され日持ちがよいが、横にすると水がこぼれるので、注意して取り扱う必要がある。また、切花の収納・取出しおよび検査する場合は、切花輸送ケース３０を横にすることができないので、作業性が悪く時間がかかるという難点がある。特に、市場での検査時は、切花輸送ケース３０を迅速に開閉する必要があるが、横にできないばかりか、上板３４を開放しなければ前板３１を開放することができないので手間がかかるという欠点がある。
【０００７】
そこで、本考案は切花に水を補給でき、しかも、横にした状態で切花を収納、検査、取出しのできる切花輸送ケースを提供することを目的としている。
【０００８】
【課題を解決するための手段】
本考案の切花輸送ケースは、上記目的を達成するため次の手段を採った。すなわち、水を入れた軟質樹脂製袋に切花の茎部を挿入してその口部を封着し、切花を立てた状態で収納して輸送する段ボール紙で組み立てられた切花輸送ケースにおいて、切花輸送ケースを横にしたときに該軟質樹脂製袋の口部を一定高さに保持するため、該口部が位置するあたりに背板から内側へ突出する保持台を配設したことを特徴としている。
【０００９】
本考案の切花輸送ケースは、切花に水を補給しつつ、立てた状態で輸送するものであって、切花の収納・取出しおよび検査では、切花輸送ケースを横にして行えるようにしたものである。
水を入れる軟質樹脂製袋は、塩化ビニールやポリエチレンなど安価で一般的なものを使用すればよい。また、軟質樹脂製袋の口部の封着は粘着テープを使用するのが簡便である。
【００１０】
切花輸送ケースは段ボール紙で組み立てられ、前板を扉風に開閉できるものであり、大きさは特に問わない。
保持台は、切花輸送ケースを横にしたときに、軟質樹脂製袋の口部から水がこぼれないように、口部を一定の高さに保持する枕で、背板面から突出するように設ける。保持台の位置は、切花の軟質樹脂製袋の口部から上方付近であればよく、また、保持台の形状は枕としての機能があれば特に問わないが、三角形状にするのが簡便である。
【００１１】
保持台の幅は、任意であり、背板の全幅または中央部だけでもよいし、切花が２束収納できるように、中央部を空けて両側に形成するようにしてもよい。
保持台は段ボール紙で別個作成して背板に接着してもよいが、製作に手間がかかる。そこで、請求項２に記載のように、予め折線や切込が付された折込板を組み立てて形成するものとし、該折込板は底板に連接しておくのが望ましい。
【００１２】
切花輸送ケースは切花を２束収納しているものが多いので、折込板は通常、保持台が左右に形成されるように折線や切込を予め付けておくのが望ましい。
しかし、この場合、切花を３束収納したい場合が起こると、この切花輸送ケースは適用できなくなってしまう。そこで、請求項３に記載のように、折込板は背板面の左右にそれぞれ三角形状に突出するものとし、保持台の予備用の折込板を上板に連接しておくとよい。そして、切花を３束収納したいときは、上板に連接した折込板から切り取って保持台を組み立て、所定の位置に接着すればよい。
【００１３】
【考案の実施の形態】
以下、本考案の切花輸送ケースの実施の形態を図面に基づいて説明する。
図１に示すように切花輸送ケース１は、段ボール紙で作られた縦長の直方体で、上面の上板７、下部の底板３、左右の左側板４と右側板５、背面の背板２、前面の前板６とで形成されている。そして、前面の前板１２は開閉可能とし、背板２の下部内側には三角形状に突出した２個の保持台１０が左右に形成され、上部には予備の保持台１０用の折込板８が付設されている。
【００１４】
この切花輸送ケース１は、図２に示す矩形状のケース左体１ａと、図３に示す矩形状のケース右体１ｂとを組み立てて接着して作られている。
ケース左体１ａには、背板２、左側板４および底板３と、保持台１０を形成する折込板１１とが配置され、背板２と左側板４、左側板４と底板３、底板３と折込板１１との境界には折り曲げ可能に折線２１、２２、２３が付けられている。そして、背板２と折込板１１との境界は切込２４が付けられている。
【００１５】
また、左側板４には折曲片４ａを形成する折線４ｃが付けられ、上部には取手穴４ｂが設けられている。また、底板３には折曲片３ａ，３ｂを形成する折線３ｃ，３ｄが付けられている。なお、左側板４の折曲片４ａと底板３の折曲片３ａの境界は切込２５が付けられている。
【００１６】
折込板１１は、図２で右側部に上下２個の係止穴１２が設けられ、その左側部には上下２個の係止片１３を形成するコ字状の切込１３ａが付けられ、さらに、切込１３ａ内の部材には２本の折線１３ｂ，１３ｃが付けられている。
また、折込板１１には折線１７，１８が付けられ、さらに、中央部１４は切込１５と折線１６が付けられている。
【００１７】
保持台１０の組み立ては、折込板１１の折線１７，１８が内側になるように折曲げ、切込１３ａから係止片１３を上方へ突出させ、これを上から係止穴１２へ差し込み、折線１３ｂが外側になるように折曲げて固定する。
折線１７と折線１８の間は組み立てられたとき、ほぼ平坦となり、保持台１０の先端部を形成する。
【００１８】
一方、ケース右体１ｂには、前板６、右側板５および上板７と、予備の保持台１０用の折込板８とが配置され、前板６と右側板５、右側板５と上板７、上板７と折込板８との境界には折線２６、２７、２８が付けられている。そして、前板６と折込板８との境界は切込２９が付けられている。
【００１９】
また、右側板５には折曲片５ａを形成する折線５ｃが付けられ、上部には取手穴５ｂが設けられている。また、上板７には折曲片７ａ，７ｂを形成する折線７ｃ，７ｄが付けられている。なお、右側板５の折曲片５ａと上板７の折曲片７ａの境界は切込２９ａが付けられている。
【００２０】
折込板８は、上記図２で説明した折込板１１と同様であり、図３で左側部に上下２個の係止穴８ｄが設けられ、その右側部には上下２個の係止片８ａを形成する切込が付けられている。さらに、係止片８ａには２本の折線８ｂ，８ｃが付けられている。また、折込板８には折曲線８ｅ．８ｆ，８ｇ，８ｈが付けられている。
【００２１】
ケース左体１ａは、図４（ａ）に示すように、折線２１，２２，２３で折り曲げて背板２と左側板４と底板３を形成する。そして、折線１３ｃを折り曲げて係止片１３を起こし折線１３ｂで折り曲げ、折込板１１を折線１７，１８で折り曲げて、係止片１３を係止穴１２に差し込んで固定して保持台１０を形成する。そして、中央部１４は折線１６で係止片１３と反対側（背板２側）へ折り曲げる。
【００２２】
図４（ａ）では、左側の保持台１０は組み立てられた状態を示し、右側の保持台１０は組み立て途中の状態を示している。
ケース右体１ｂは、図４（ｂ）に示すように、折線２６，２７で折り曲げて前板６と右側板５と上板７を形成する。そして、折込板８は折線２８で折り曲げておく。
【００２３】
次に、ケース左体１ａの折曲片３ｂをケース右体１ｂの右側板５の下端に、ケース右体１ｂの折曲片５ａ，７ａ，７ｂをケース左体１ａの背板２の側端および上端と左側板４の上端に接着する。これにより、図１の状態になり、前板６が開閉可能な切花輸送ケース１が組み立てられる。
【００２４】
この切花輸送ケース１に切花を収納するときは、前板６が上面になるように横にして、図５に示すように、切花の茎部を、水を入れた軟質樹脂製袋３５に挿入し、粘着テープ３６ａで軟質樹脂製袋３５の口部３６を封着してから行う。
収納すると、軟質樹脂製袋３５の口部３６は、保持台１０に載った状態となるので、軟質樹脂製袋３５内の水はこぼれることがない。なお、切花は収納したら、粘着テープで背板２などに固定し、輸送中に移動しないようにする。
【００２５】
切花は、通常、左右の保持台１０に口部３６が位置するように２束収納するが、３束収納したい場合は、上板７に付設されている折込板８を切り取って組み立て、左右の保持台１０間（中央部）に接着して保持台を追加する。
切花を収納したら、前板６を閉めて粘着テープで止め、縦置きの状態に起こし、取手穴４ａ，５ａに手をかけて運搬する。輸送中は縦置きの状態であるが、切花を取出す場合や、検査などで切花の状態を見る場合は、横置きにして前板６を開放する。
【００２６】
【考案の効果】
本考案の切花輸送ケースは、切花輸送ケースを横にしたときに軟質樹脂製袋の口部を一定高さに保持するため、口部が位置するあたりに背板から内側へ突出する保持台を配設したので、切花輸送ケースを横にしても、水が漏れることがなく、したがって、切花の収納・取り出しおよび検査では横にした状態で行えるので簡便で時間がかからない。また、輸送中に誤って横に倒したりしても水がもれることがないので、取り扱い易い。さらに、切花輸送ケースは段ボール紙と軟質樹脂製袋で構成されているので、廃棄するときに問題となることもない。
【図面の簡単な説明】
【図１】本考案の切花輸送ケースの前板を開いた状態の全体構成を示す斜視図である。
【図２】同　切花輸送ケースの材料の状態を示す図で、ケース左体１ａの平面図である。
【図３】同　ケース右体１ｂの平面図である。
【図４】同　切花輸送ケースの組み立て状態を示す斜視図で、（ａ）は、ケース左体１ａ、（ｂ）はケース右体１ｂを示す。
【図５】同　切花の収納時の状態を示す側面図である。
【図６】従来の切花輸送ケースを示す斜視図である。
【符号の説明】
１…切花輸送ケース
１ａ…ケース左体
１ｂ…ケース右体
２…背板　　　　　　　　３…底板
３ａ，３ｂ…折曲片
３ｃ，３ｄ…折線　　　　　　　４…左側板
４ａ…折曲片　　　　　　４ｂ…取手穴
４ｃ…折線　　　　　　　　　　　　　　５…右側板
５ａ…折曲片　　　　　　５ｂ…取手穴
５ｃ…折線　　　　　　　　　　　　　６…前板
７…上板
７ａ，７ｂ…折曲片
７ｃ，７ｄ…折線
８…折込板　　　　　　　８ａ…切込
８ｂ，８ｃ…折線　　　　８ｄ…係止穴
８ｅ，８ｆ，８ｇ，８ｈ…折線
１０…保持台　　　　　　　　　　　　１１…折込板
１２…係止穴　　　　　　１３…係止材
１３ａ…切込
１３ｂ，１３ｃ…折線　　１４…中央部
１５…切込
１６，１７，１８…折線
２１，２２，２３…折線
２４，２５…切込
２６，２７，２８…折線
２９，２９ａ…切込
３０…切花輸送ケース　　３１…前蓋
３２…袋　　　　　　　　３３…中枠
３４…上蓋
３５…軟質樹脂製袋　　　　　　３６…口部
３６ａ…粘着テープ
【図１】
0003097762.tif 000003
【図２】
0003097762.tif 000004
【図３】
0003097762.tif 000005
【図４】
0003097762.tif 000006
【図５】
0003097762.tif 000007
【図６】
0003097762.tif 000008